(57)【特許請求の範囲】
【請求項１】
発酵槽（２）と台車（３）から構成され、発酵槽（２）は、側面八角形に構成された左右の側板（２Ａ、２Ｂ）と、左右の側板間に張設された７枚の１番板（２Ｃ）、２番板（２Ｄ）、３番板（２Ｅ）、４番板（２Ｆ）、５番板（２Ｇ）、６番板（２Ｈ）、７番板（２Ｉ）と、投入口（２Ｊ）に取付け取外し自在に装着された蓋板（２Ｋ）から構成され、台車（３）は、上面が開口した箱状に構成されていると共に、発酵槽（２）を回転自在に支持するよう構成され、前記１番板、２番板、３番板、４番板、５番板、６番板、７番板の外側面には、回転を指示兼確認する目印（２Ｃ２，２Ｄ２，２Ｅ２，２Ｆ２，２Ｇ２，２Ｈ２，２Ｉ２）が表示されていることを特徴とする家庭ごみの堆肥化装置。
【請求項２】
上面が開口した箱状に構成されている台車の左右壁に、発酵槽の回転軸（２Ａ１）、（２Ｂ１）の下面と前後面を包持する３個のリンク（３Ｄ１，３Ｄ１，３Ｄ１）が夫々回転自在に取付けられていることを特徴とする請求項１記載の家庭ごみの堆肥化装置。
【請求項３】
１番板乃至７番板の各番板に、「月」、「火」、「水」、「木」、「金」、「土」、「日」を示す目印（２Ｃ２，２Ｄ２，２Ｅ２，２Ｆ２，２Ｇ２，２Ｈ２，２Ｉ２）が、夫々割当てられて表示されていることを特徴とする請求項１又は２記載の家庭ごみの堆肥化装置。
【請求項４】
請求項１又は２に記載の家庭ごみの堆肥化装置を用いて、下記の各工程から構成されていることを特徴とする家庭ごみの堆肥化装置の使用方法。
第１工程
発酵槽内に生ごみを投入しこれに適量の培養材を散布したのち、発酵槽を数回回転させ全体を混合する。
投入日に関連する目印を上面に位置させて発酵槽の回転を停止させる。
第２工程
生ごみが発生する度に発酵槽に投入し、その都度数回回転させる。
投入日に関連する目印を上面に位置させて発酵槽の回転を停止させる。
第３工程
発酵槽の上面に位置する目印が示す投入日、及び／又は、目測によって、投入された生ごみの肥料化の速度が落ちたことを確認したら、発酵槽から堆肥となった生ごみを排出する。
【請求項５】
請求項３に記載の家庭ごみの堆肥化装置を用いて、下記の各工程から構成されていることを特徴とする家庭ごみの堆肥化装置の使用方法。
第１工程
発酵槽内に生ごみを投入しこれに適量の培養材を散布したのち、発酵槽を数回回転させ全体を混合する。
生ごみを投入した曜日を表示する目印を上面に位置させて発酵槽の回転を停止させる。
第２工程
生ごみが発生する度に発酵槽に投入し、その都度数回回転させる。
生ごみを投入した曜日を表示する目印を上面に位置させて発酵槽の回転を停止させる。
第３工程
発酵槽の上面に位置する目印が示す投入した曜日、及び／又は、目測によって、投入された生ごみの肥料化の速度が落ちたことを確認したら、発酵槽から堆肥となった生ごみを排出する。
【発明の詳細な説明】
【０００１】
【発明の属する技術分野】
本発明は、新規な構成を有する家庭ごみの堆肥化装置と家庭ごみの堆肥化装置の使用方法に関するものである。
【０００２】
【従来の技術】
従来家庭ごみは、下記のように処理されている。
１．コンポストなどで処理する方法。
２．直接地中に戻す方法。
３．焼却する方法。
【０００３】
【発明が解決しようとする課題】
従来の技術で述べたものにあっては、下記のような問題点を有していた。
１．コンポストなどで処理する方法や直接地中に戻す方法は、腐敗し悪臭がでる。
２．焼却する方法の場合、高熱が必要でかつダイオキシンが発生する。
【０００４】
本発明は、従来の技術の有するこのような問題点に鑑みなされたものであり、その目的とするところは、上述の問題を解決できるものを提供しようとするものである。
【０００５】
【課題を解決するための手段】
上記目的を達成するために、本発明は下記のようになるものである。
すなわち、
請求項１記載の発明は、発酵槽２と台車３から構成され、発酵槽２は、側面八角形に構成された左右の側板２Ａ、２Ｂと、左右の側板間に張設された７枚の１番板２Ｃ、２番板２Ｄ、３番板２Ｅ、４番板２Ｆ、５番板２Ｇ、６番板２Ｈ、７番板２Ｉと、投入口２Ｊに取付け取外し自在に装着された蓋板２Ｋから構成され、台車３は、上面が開口した箱状に構成されていると共に、発酵槽２を回転自在に支持するよう構成され、前記１番板、２番板、３番板、４番板、５番板、６番板、７番板の外側面には、回転を指示兼確認する目印２Ｃ２，２Ｄ２，２Ｅ２，２Ｆ２，２Ｇ２，２Ｈ２，２Ｉ２が表示されていることを特徴とするものである。
【０００６】
請求項２記載の発明は、請求項１記載の発明において、上面が開口した箱状に構成されている台車の左右壁に、発酵槽の回転軸２Ａ１、２Ｂ１の下面と前後面を包持する３個のリンク３Ｄ１，３Ｄ１，３Ｄ１が夫々回転自在に取付けられていることを特徴とするものである。
【０００７】
請求項３記載の発明は、請求項１又は２記載の発明において、１番板乃至７番板の各番板に、「月」、「火」、「水」、「木」、「金」、「土」、「日」を示す目印２Ｃ２，２Ｄ２，２Ｅ２，２Ｆ２，２Ｇ２，２Ｈ２，２Ｉ２が、夫々割当てられて表示されていることを特徴とするものである。
【０００８】
請求項４記載の発明は、請求項１又は２に記載の家庭ごみの堆肥化装置を用いて、下記の各工程から構成されていることを特徴とするものである。
第１工程
発酵槽内に生ごみを投入しこれに適量の培養材を散布したのち、発酵槽を数回回転させ全体を混合する。
投入日に関連する目印を上面に位置させて発酵槽の回転を停止させる。
第２工程
生ごみが発生する度に発酵槽に投入し、その都度数回回転させる。
投入日に関連する目印を上面に位置させて発酵槽の回転を停止させる。
第３工程
発酵槽の上面に位置する目印が示す投入日、及び／又は、目測によって、投入された生ごみの肥料化の速度が落ちたことを確認したら、発酵槽から堆肥となった生ごみを排出する。
【０００９】
請求項５記載の発明は、請求項３に記載の家庭ごみの堆肥化装置を用いて、下記の各工程から構成されていることを特徴とするものである。
第１工程
発酵槽内に生ごみを投入しこれに適量の培養材を散布したのち、発酵槽を数回回転させ全体を混合する。
生ごみを投入した曜日を表示する目印を上面に位置させて発酵槽の回転を停止させる。
第２工程
生ごみが発生する度に発酵槽に投入し、その都度数回回転させる。
生ごみを投入した曜日を表示する目印を上面に位置させて発酵槽の回転を停止させる。
第３工程
発酵槽の上面に位置する目印が示す投入した曜日、及び／又は、目測によって、投入された生ごみの肥料化の速度が落ちたことを確認したら、発酵槽から堆肥となった生ごみを排出する。

【００１０】
【発明の実施の形態】
以下、本発明の実施の形態を実施例にもとづき図面を参照して説明する。
１は第１発明の家庭ごみの堆肥化装置である。
第２発明は家庭ごみの堆肥化装置１の使用方法である。
【００１１】
第１発明の家庭ごみの堆肥化装置１は、発酵槽２と台車３とトレイ４から構成されている。
Ａ．発酵槽２は、側面八角形に構成された左右の側板２Ａ、２Ｂと、左右の側板間に張設された木製の７枚の１番板２Ｃ、２番板２Ｄ、３番板２Ｅ、４番板２Ｆ、５番板２Ｇ、６番板２Ｈ、７番板２Ｉと、１番板２Ｃと７番板２Ｉとの間に形成された投入口２Ｊに取付け取外し自在に装着された蓋板２Ｋと、左右の側板２Ａ、２Ｂの外方中心に突設された回転軸２Ａ１、２Ｂ１から構成されている。
なお、蓋板２Ｋの外周にはシール材２Ｋ２が添着され、蓋板の上面中央には把手２Ｋ１が取付けられている。
２Ｌは蓋板固定バンドで、蓋板２Ｋを中心として発酵槽２の前方側に先端を固定した前方のバンド２Ｌ１と、後方側に後端を固定した後方のバンド２Ｌ２と、前方のバンド２Ｌ１の後端に添着した面テープ２Ｌ１１と、後方のバンド２Ｌ２の先端に添着した面テープ２Ｌ１２から構成されている。
なお、面テープはマジックテープ（登録商標）が好適である。
【００１２】
Ｂ．１番板２Ｃ、２番板２Ｄ、３番板２Ｅ、４番板２Ｆ、５番板２Ｇ、６番板２Ｈ、７番板２Ｉの内側面には、適本数のアジテータ用小棒２Ｃ１、２Ｄ１、２Ｅ１、２Ｆ１、２Ｇ１、２Ｈ１、２Ｉ１が内方に向け植設されている。
１番板２Ｃ、２番板２Ｄ、３番板２Ｅ、４番板２Ｆ、５番板２Ｇ、６番板２Ｈ、７番板２Ｉの外側面には、例えば、１番板２Ｃに「月」、２番板２Ｄに「火」、３番板２Ｅに「水」、４番板２Ｆに「木」、５番板２Ｇに「金」、６番板２Ｈに「土」、７番板２Ｉに「日」など回転を指示兼確認する目印２Ｃ２、２Ｄ２、２Ｅ２、２Ｆ２、２Ｇ２、２Ｈ２、２Ｉ２が必要に応じて表示されている。
この目印の利用は、月曜日に生ごみを投入後、「月」を上方に位置する状態にすることで、投入日が月曜日であったことを後日確認できる。
【００１３】
Ｃ．台車３は、平面方形の落下口３Ａ１が形成されている平面方形の底板３Ａと、底板３Ａの前後辺に起立された前後壁３Ｂ、３Ｂと、底板３Ａの左右辺に起立された左右壁３Ｃ、３Ｃと、左右壁３Ｃ、３Ｃの内側面の上方中央位置に設けられた左右の軸受け３Ｄ、３Ｄと、底板３Ａの下面四隅に設けられたキャスター３Ｅ、３Ｅ．．から構成されている。
なお、左右の軸受け３Ｄ、３Ｄは、発酵槽２の回転軸２Ａ１、２Ｂ１の下面と前後面を抱持する状態で左右壁に回転自在に取付けられた３個のリンク３Ｄ１で構成されている。
すなわち、発酵槽２は回転軸２Ａ１、２Ｂ１が、左右の軸受け３Ｄ、３Ｄで支持された状態で台車３内に回転自在に収納されている。
図中、３Ｂ１は前後壁３Ｂ、３Ｂの下方に設けられた開口部、３Ｃ１は把手である。
Ｄ．トレイ４は、平面方形の底板４Ａと、底板の周囲に起立された壁４Ｂから構成され、台車３の落下口３Ａ１の下面に挿脱自在に配設されている。
なお、発酵槽２と台車３は木材で構成されている。
【００１４】
第２発明の家庭ごみの堆肥化装置の使用方法は下記の各工程から構成されている。
第１工程
発酵槽における蓋板２Ｋを取り、投入口２Ｊから家庭からでる生ごみを投入し、これに適量の培養材を散布し、蓋板を閉め蓋板固定バンド２Ｌで固定したのち、発酵槽２を数回回転させ全体を混合する。
この場合、内部にアジテータ用小棒が突設されているから攪拌が確実に行われることになる。
なお、培養材としては、ピートモス、薫炭（原料もみ殻）、微生物群（ＥＭ菌）、オガ屑などである。
また、米ぬか、劣化した天ぷら油などを加えると有効である。
第２工程
生ごみが発生する度に発酵槽に投入し、その都度数回回転させる。（投入は１日何回でもよい。）
回転させるのは、今回投入されたものと前回投入されたものをよく攪拌するためである。
また、回転させることで、７枚の番板のうち底部に位置する番板が絶えず変化するので、番板の劣化を防止することができる。
さらに、生ごみを投入した曜日を最終的に上面に位置させておくことで投入日を確認できる。
第３工程
目測で投入された生ごみの肥料化の速度が落ちたことを確認したら、発酵槽の蓋板２Ｋを外し発酵槽を回転させて投入口２Ｊをトレイ４の上面に位置させ、投入口よりトレイ４内に堆肥５となった生ごみを排出する。
この結果、水蒸気と炭酸ガスを分解させ有機肥料を得ることができる。
【００１５】
Ａ．このようにして得た堆肥５は、畑などで土と混合させ１ケ月程経過させたのち肥料として使用するとよい。
Ｂ．第１工程から第３工程までの期間は約１年である。
Ｃ．第１工程から第３工程において、外気温度が１０〜４０℃（好ましくは１５〜２０℃）の条件下であることが必要である。
これは有機肥料にするための微生物化を促進する必要があるからである。
【００１６】
【実施例】
さらに、以下のような条件で実験した結果、極めて良好な結果が得られた。
台所で実験したが、臭いについては気にならなかった。
また、本発明のものの設置環境は、上述のごとく１０〜４０℃（好ましくは１５〜２０℃）の温度が必要であるが、家の中の温度が好適であった。したがって台所にあると、発生した生ごみを即時に処理でき便利であった。
【００１７】
【発明の効果】
本発明は、上述の通り構成されているので次に記載する効果を奏する。
１．生ごみを減少させることができる。
２．有機肥料ができる。
３．木製であるから、気孔の作用で培養が早く、有機肥料化が促進される。
４．木製であるが、毎日回転して底板の位置を変えるので装置の劣化を遅らせることができる。
５．リサイクルで環境問題に資することができる。
６．このほか、間伐材などの安価な材料（集成材）を利用できるので安価に製造できる、部品点数が少ないので組立が容易である、経済的である、などの効果をも有するものである。
【図面の簡単な説明】
【図１】斜視図である。
【図２】分解した斜視図である。
【図３】発酵槽の分解した斜視図である。
【図４】蓋板を反転させた状態の斜視図である。
【図５】台車の分解した斜視図である。
【図６】全体の平面図である。
【図７】各番板と蓋板の配列の説明図である。
【図８】Ａ−Ａ線断面図である。
【図９】Ｂ−Ｂ線断面図である。
【図１０】作用を説明する断面図である。
【符号の説明】
１  第１発明の家庭ごみの堆肥化装置
２  発酵槽
３  台車
４  トレイ
５  堆肥
【図１】
0004107994.tif 000002
【図２】
0004107994.tif 000003
【図３】
0004107994.tif 000004
【図４】
0004107994.tif 000005
【図５】
0004107994.tif 000006
【図６】
0004107994.tif 000007
【図７】
0004107994.tif 000008
【図８】
0004107994.tif 000009
【図９】
0004107994.tif 000010
【図１０】
0004107994.tif 000011